(57)【要約】【課題】一部非公開コードを利用することで機密情報を安全かつ容易に伝達し得る情報伝達システムを提供する。【解決手段】携帯端末５０にて上記コード生成用アプリケーションプログラムの実行することで、入力された個人情報（機密情報）が、公開された公開鍵を用いてこの公開鍵と異なる秘密鍵によりデコード可能に暗号化されて非公開領域に記録されることで、情報伝達用コード（一部非公開コード）が生成される。そして、携帯端末５０の表示部５４に表示された情報伝達用コードを、コードリーダ２０により光学的に読み取り秘密鍵を用いてデコードすることで、個人情報が端末装置１１の端末本体１２により取得される。【選択図】図７
2013175005.tif 000002
【特許請求の範囲】
【請求項１】
暗号化された情報が記録される非公開領域を少なくとも一部含む一部非公開コードを用いて情報を伝達する情報伝達システムであって、
入力された機密情報を、公開された第１の鍵を用いてこの第１の鍵と異なる第２の鍵によりデコード可能に暗号化して前記非公開領域に記録することで前記一部非公開コードを生成する生成手段と、
前記生成手段により生成された前記一部非公開コードを表示可能な表示部を有する携帯端末と、
前記表示部に表示された前記一部非公開コードを読取手段により光学的に読み取り前記第２の鍵を用いてデコードすることで前記機密情報を取得する取得装置と、
を備えることを特徴とする情報伝達システム。
【請求項２】
前記一部非公開コードは、前記非公開領域を複数備えており、
前記第１の鍵および前記第２の鍵は、前記複数の非公開領域に対応するようにそれぞれ同数設けられており、
前記生成手段は、入力された複数の機密情報を、前記複数の非公開領域のそれぞれに対して対応する前記第１の鍵を用いて暗号化して記録するように、前記一部非公開コードを生成することを特徴とする請求項１に記載の情報伝達システム。
【請求項３】
前記取得装置は、複数の前記第２の鍵のうち、前記複数の機密情報のうちの一部を取得するために必要な鍵に限定して有することを特徴とする請求項２に記載の情報伝達システム。
【請求項４】
前記複数の非公開領域は、それぞれ記録される情報の項目が予め設定されており、
複数の前記項目のうち所望の項目に対する前記機密情報を入力する入力手段を備えることを特徴とする請求項２または３に記載の情報伝達システム。
【請求項５】
前記機密情報は、認証時に使用する認証用情報であって、
前記取得装置は、
前記携帯端末の使用者により予め登録された前記認証用情報が登録認証用情報として記憶される記憶手段と、
前記第２の鍵を用いてデコードすることで取得した前記認証用情報と、前記記憶手段に記憶される前記登録認証用情報とに基づいて認証を行う認証手段を備えることを特徴とする請求項１〜４のいずれか一項に記載の情報伝達システム。
【請求項６】
前記生成手段は、前記携帯端末により実行されるアプリケーションプログラムであることを特徴とする請求項１〜５のいずれか一項に記載の情報伝達システム。
【発明の詳細な説明】
【技術分野】
【０００１】
本発明は、光学的に読み取り可能な情報コードを用いて情報を伝達する情報伝達システムに関する。
【背景技術】
【０００２】
従来、光学的に読み取り可能な情報コードを用いて情報を伝達する情報伝達システムに関連する技術として、例えば、下記特許文献１に示す二次元コード利用者認証システムが知られている。この二次元コード利用者認証システムは、携帯電話に個人情報、暗証番号などの情報が記録された二次元コードを表示し、この二次元コードを店舗端末装置の二次元コード解読手段により光学的に読み取ることで個人情報等が取得され、このように取得した個人情報等に応じて個人認証をするシステムである。
【先行技術文献】
【特許文献】
【０００３】
【特許文献１】特開２０１０−１０２７２６号公報
【発明の概要】
【発明が解決しようとする課題】
【０００４】
そして、上述した二次元コードとして、暗号化された情報が記録された非公開領域を少なくとも一部含む一部非公開コードを利用することで、この一部非公開コードを、暗号解読用の鍵を所有する店舗でのみ読み取り可能とする。この場合には、当該一部非公開コードが盗難・紛失等されても、暗号解読用の鍵を所有していなければ解読できないため、盗難・紛失等による不正使用が抑制される。
【０００５】
しかしながら、暗号解読用の鍵を所有していない者に対しては、個人情報等を安全に渡すことができず、暗号解読用の鍵の入手を容易にすると、不正使用者まで取得しやすくなり、セキュリティ面で問題がある。また、上記一部非公開コードが暗号解読用の鍵を所有する所有者しか生成できない場合には、利用者は、上記所有者に個人情報等を渡して当該一部非公開コードを生成してもらう必要があり、個人情報等が上記所有者等を介して流出してしまう恐れがある。また、この恐れが強くなると、ユーザが情報コードを用いた情報伝達の利用を避けてしまうという問題がある。
【０００６】
本発明は、上述した課題を解決するためになされたものであり、その目的とするところは、一部非公開コードを利用することで機密情報を安全かつ容易に伝達し得る情報伝達システムを提供することにある。
【課題を解決するための手段】
【０００７】
上記目的を達成するため、請求項１に記載の発明は、暗号化された情報が記録される非公開領域を少なくとも一部含む一部非公開コード（Ｑ，Ｑａ，Ｑｂ）を用いて情報を伝達する情報伝達システム（１０，１０ａ，１０ｂ，１０ｃ）であって、入力された機密情報を、公開された第１の鍵を用いてこの第１の鍵と異なる第２の鍵によりデコード可能に暗号化して前記非公開領域に記録することで前記一部非公開コードを生成する生成手段（５１）と、前記生成手段により生成された前記一部非公開コードを表示可能な表示部（５４）を有する携帯端末（５０）と、前記表示部に表示された前記一部非公開コードを読取手段（２０）により光学的に読み取り前記第２の鍵を用いてデコードすることで前記機密情報を取得する取得装置（１１，１１ａ〜１１ｃ）と、を備えることを特徴とする。
なお、上記各括弧内の符号は、後述する実施形態に記載の具体的手段との対応関係を示すものである。
【発明の効果】
【０００８】
請求項１の発明では、生成手段により、入力された機密情報が、公開された第１の鍵を用いてこの第１の鍵と異なる第２の鍵によりデコード可能に暗号化されて非公開領域に記録されることで、一部非公開コードが生成される。そして、携帯端末の表示部に表示された一部非公開コードを、読取手段により光学的に読み取り第２の鍵を用いてデコードすることで、機密情報が取得装置により取得される。
【０００９】
このように、携帯端末の表示部に表示された一部非公開コードを読取手段に読み取らせるだけで、機密情報が取得装置により取得されるので、取得装置への機密情報の伝達を容易に実施することができる。特に、公開された第１の鍵を用いるため、第三者を介さず一部非公開コードを生成できるだけでなく、一部非公開コードを不正に入手しても第１の鍵と異なる第２の鍵をも入手しなければ機密情報を取得できないので、一部非公開コードを利用することによる安全性を高めることができる。
したがって、一部非公開コードを利用することで、機密情報を携帯端末を介して安全かつ容易に取得装置に伝達することができる。
【００１０】
請求項２の発明では、第１の鍵および第２の鍵は、複数の非公開領域に対応するようにそれぞれ同数設けられており、生成手段は、入力された複数の機密情報を、複数の非公開領域のそれぞれに対して対応する第１の鍵を用いて暗号化して記録するように、一部非公開コードを生成する。
【００１１】
これにより、１つの一部非公開コードに複数の機密情報が記録されるため、２以上の取得装置がそれぞれ異なる第２の鍵を有する場合に、各取得装置の読取手段にて同一の一部非公開コードを読み取らせても取得される機密情報を変えることができる。すなわち、各取得装置に伝達させる情報を所有する第２の鍵の種類に応じて変えることができるので、安全性を低下させることなく利便性を向上させることができる。
【００１２】
請求項３の発明では、取得装置は、複数の第２の鍵のうち、複数の機密情報のうちの一部を取得するために必要な鍵に限定して有するため、複数の機密情報が記録される一部非公開コードを読み取る場合でも、当該取得装置が取得可能な機密情報を、所有する第２の鍵に応じて制限することができる。
【００１３】
請求項４の発明では、複数の非公開領域は、それぞれ記録される情報の項目が予め設定されており、入力手段により、複数の項目のうち所望の項目に対する機密情報が入力される。
【００１４】
このため、携帯端末の所持者は、上記各項目のうち伝達を望まない項目には対応する機密情報を入力しないことにより、一部非公開コードを利用して伝達する機密情報の項目を、利用者の意図に応じて制限することができる。
【００１５】
請求項５の発明では、機密情報は、認証時に使用する認証用情報であって、前記取得装置では、第２の鍵を用いてデコードすることで取得した認証用情報と、記憶手段に予め記憶された登録認証用情報とに基づいて、認証手段により認証が実施される。
【００１６】
これにより、暗証番号のような認証が必要な機密情報であっても、一部非公開コードを利用することで、携帯端末を介して安全かつ容易に取得装置に伝達することができ、かつ、伝達された情報を用いた認証を実施することができる。
【００１７】
請求項６の発明では、生成手段は、携帯端末により実行されるアプリケーションプログラムであるため、外部装置等を利用することなく携帯端末の操作だけで一部非公開コードを生成できるので、一部非公開コードを利用する機密情報の伝達をより安全に実施することができる。
【図面の簡単な説明】
【００１８】
【図１】第１実施形態に係る情報伝達システムの構成を概略的に示す説明図である。
【図２】コードリーダの読取処理に関する電気的構成を概略的に示すブロック図である。
【図３】携帯端末の電気的構成を概略的に示すブロック図である。
【図４】第１実施形態に係る携帯端末の情報伝達用コード生成処理の流れを例示するフローチャートである。
【図５】表示部に表示されるメニュー画面を例示する説明図である。
【図６】表示部に表示される入力画面を例示する説明図である。
【図７】第１実施形態における機密情報の伝達の流れを説明するための説明図である。
【図８】第２実施形態に係る情報伝達システムの構成を概略的に示す説明図である。
【図９】第２実施形態に係る携帯端末の情報伝達用コード生成処理の流れを例示するフローチャートである。
【図１０】表示部に表示される選択画面を例示する説明図である。
【図１１】第２実施形態における機密情報の伝達の流れを説明するための説明図である。
【図１２】第３実施形態に係る情報伝達用コードの構成を説明する説明図である。
【図１３】第３実施形態に係る携帯端末の情報伝達用コード生成処理の流れを例示するフローチャートである。
【図１４】第３実施形態における機密情報の伝達の流れを説明するための説明図である。
【図１５】第４実施形態に係る情報伝達システムの構成を概略的に示す説明図である。
【図１６】第４実施形態における機密情報の伝達の流れを説明するための説明図である。
【図１７】第５実施形態に係る情報伝達システムの構成を概略的に示す説明図である。
【図１８】第５実施形態に係る情報伝達用コードの構成を説明する説明図である。
【図１９】第５実施形態における機密情報の伝達の流れを説明するための説明図である。
【発明を実施するための形態】
【００１９】
［第１実施形態］
以下、本発明の第１実施形態に係る情報伝達システムについて図を参照して説明する。図１は、第１実施形態に係る情報伝達システム１０の構成を概略的に示す説明図である。
図１に示す情報伝達システム１０は、利用者が個人情報などの機密情報の伝達を希望する被伝達者に対して、光学的に読み取り可能な情報コードを用いることで上記機密情報を伝達するシステムである。本実施形態では、機密情報を安全かつ容易に伝達するため、情報伝達用の情報コード（以下、情報伝達用コードという）として、暗号化された機密情報が記録される非公開領域を少なくとも一部含む一部非公開コードが採用されている。
【００２０】
ここで、一部非公開コードは、一部暗号化することでセキュリティ性が高められたＱＲコード（登録商標）として、所定の暗号鍵に基づいて暗号化された暗号データが記録された非公開領域と、上記所定の暗号鍵によって暗号化されていない公開データが記録された公開領域とを備えた構成となっている。このため、上記所定の暗号鍵に対応する解読鍵を有するコードリーダ（後述する）では、上述した暗号データおよび公開データの双方が読み取られ、上記解読鍵を有しないコードリーダでは、上述した公開データのみが読み取られる。
【００２１】
本実施形態では、被伝達者として、例えば、会員に対して所定のサービスを提供する提供者（以下、サービス提供者という）が想定されており、サービス提供者は、上述した所定の暗号鍵として上記情報伝達用コードを生成するための公開鍵と、上述した解読鍵として当該公開鍵に１対１で対応する秘密鍵とを管理している。この公開鍵を用いて暗号化された一部非公開コードは、当該公開鍵に１対１で対応する秘密鍵のみ解読可能であり、暗号化に用いた公開鍵であっても解読できないように構成される。そして、この公開鍵は、利用者がインターネット等のネットワークを介して取得可能に、サービス提供者により公開されている。なお、公開鍵および秘密鍵は、１対１で対応する互いに異なる鍵データであり、特許請求の範囲に記載の「第１の鍵」および「第２の鍵」の一例に相当し得る。
【００２２】
次に、サービス提供者により管理されて情報伝達用コードを利用して機密情報を取得する端末装置１１について説明する。
端末装置１１は、各店舗内のカウンタ等に設置される端末本体１２と、情報伝達用コードやサービス提供品等に付された情報コードを光学的に読み取るコードリーダ２０とを備えている。なお、図１では、１つの店舗にて設置される端末本体１２およびコードリーダ２０を例示しているが、サービス提供者が運営する複数の店舗のそれぞれに、端末本体１２およびコードリーダ２０が設置されるように、端末装置１１を構成することができる。また、端末装置１１は、特許請求の範囲に記載の「取得装置」の一例に相当し、コードリーダ２０は、特許請求の範囲に記載の「読取手段」の一例に相当し得る。
【００２３】
端末本体１２は、入力される個人情報等の会員登録情報に基づく会員登録に関する処理やサービス提供等に関する処理を実施するための端末である。端末本体１２のメモリ（図示略）には、上述した各処理を実行可能な所定プログラム等に加えて、各会員登録情報等が更新可能にデータベース化されて格納されている。この端末本体１２に所定の情報を入力する方法としては、キーボード等の操作に応じて所定の情報を入力する方法と、コードリーダ２０を用いて読み取った情報を入力する方法とがある。
【００２４】
また、端末本体１２により、サービス提供者固有の公開鍵およびこの公開鍵に１対１で対応する秘密鍵が管理されており、公開鍵は、利用者がインターネット等のネットワークを介して取得可能に、端末本体１２により公開されている。なお、公開鍵は、端末本体１２により公開されることに限らず、サービス提供者が管理するサーバ等によりインターネット等のネットワークを介して取得可能に公開されてもよい。
【００２５】
次に、コードリーダ２０について、図２を用いて説明する。図２は、コードリーダ２０の読取処理に関する電気的構成を概略的に示すブロック図である。
図２に示すコードリーダ２０は、情報コードを光学的に読み取り、その読取結果を端末本体１２に出力する光学的情報読取装置である。このコードリーダ２０は、図示しないケースの内部に回路部２０ａが収容されてなるものであり、この回路部２０ａは、主に、照明光源２１、受光センサ２８、結像レンズ２７等の光学系と、制御回路４０、メモリ３５等のマイクロコンピュータ（以下「マイコン」という）系と、から構成されている。
【００２６】
光学系は、投光光学系と、受光光学系とに分かれている。投光光学系を構成する照明光源２１は、照明光Ｌｆを発光可能な照明光源として機能するもので、例えば、赤色のＬＥＤとこのＬＥＤの出射側に設けられるレンズとから構成されている。なお、図２では、情報コードＣが付された読取対象Ｒに向けて照明光Ｌｆを照射する例を概念的に示している。
【００２７】
受光光学系は、受光センサ２８、結像レンズ２７、反射鏡（図示略）などによって構成されている。受光センサ２８は、情報コードなどに照射されて反射した反射光Ｌｒを受光可能に構成されるもので、例えば、Ｃ−ＭＯＳやＣＣＤ等の固体撮像素子である受光素子を２次元に配列したエリアセンサが、これに相当する。この受光センサ２８は、結像レンズ２７を介して入射する入射光を受光可能にプリント配線板（図示略）に実装されている。
【００２８】
結像レンズ２７は、外部から読取口２３を介して入射する入射光を集光して受光センサ２８の受光面２８ａに像を結像可能な結像光学系として機能するものである。本実施形態では、照明光源２１から照射された照明光Ｌｆが情報コードにて反射した後、この反射光Ｌｒを結像レンズ２７で集光し、受光センサ２８の受光面２８ａにコード像を結像させている。
【００２９】
次に、マイコン系の構成概要を説明する。
マイコン系は、増幅回路３１、Ａ／Ｄ変換回路３３、メモリ３５、アドレス発生回路３６、同期信号発生回路３８、制御回路４０、トリガースイッチ４２、発光部４３、ブザー４４、バイブレータ４５、液晶表示器４６、通信インタフェース４８等から構成されている。
【００３０】
光学系の受光センサ２８から出力される画像信号（アナログ信号）は、増幅回路３１に入力され所定ゲインで増幅された後、Ａ／Ｄ変換回路３３に入力されると、アナログ信号からディジタル信号に変換される。そして、ディジタル化された画像信号、つまり画像データ（画像情報）は、メモリ３５に入力されると、所定のコード画像情報格納領域に蓄積される。なお、同期信号発生回路３８は、受光センサ２８およびアドレス発生回路３６に対する同期信号を発生可能に構成されており、またアドレス発生回路３６は、この同期信号発生回路３８から供給される同期信号に基づいて、メモリ３５に格納される画像データの格納アドレスを発生可能に構成されている。
【００３１】
メモリ３５は、半導体メモリ装置で、例えばＲＡＭ（ＤＲＡＭ、ＳＲＡＭ等）やＲＯＭ（ＥＰＲＯＭ、ＥＥＰＲＯＭ等）がこれに相当する。このメモリ３５には、読取処理等を実行可能な所定プログラムや照明光源２１、受光センサ２８等の各ハードウェアを制御可能なシステムプログラム等に加えて、上述した秘密鍵に関する情報が、予め格納されている。
【００３２】
制御回路４０は、コードリーダ２０全体を制御可能なマイコンによって構成されており、ＣＰＵ、システムバス、入出力インタフェース等を有すると共に、情報処理機能を備えており、メモリ３５とともに情報処理装置を構成している。本実施形態では、制御回路４０に対し、トリガースイッチ４２、発光部４３、ブザー４４、バイブレータ４５、液晶表示器４６、通信インタフェース４８等が接続されている。
【００３３】
これにより、制御回路４０は、例えば、トリガースイッチ４２の監視や管理、情報コードの読み取りに関する情報を報知するインジケータとして機能する発光部４３の点灯・消灯、ビープ音やアラーム音を発生可能なブザー４４の鳴動のオンオフ、当該コードリーダ２０の使用者に伝達し得る振動を発生可能なバイブレータ４５の駆動制御、液晶表示器４６の表示制御や端末本体１２との通信を可能にする通信インタフェース４８の通信制御等を可能にしている。
【００３４】
次に、携帯端末５０について図１および図３を用いて説明する。図３は、携帯端末５０の電気的構成を概略的に示すブロック図である。
図１および図３に示す携帯端末５０は、例えば、携帯電話であって、その筐体内に、メモリ５２と、操作部５３と、表示部５４と、通信部５５と、これらを統括的に制御する制御部５１等とを収容して構成されている。
【００３５】
制御部５１は、一般的な携帯電話としての通話機能および通信機能に加えて、後述する情報伝達用コード生成処理を実施することにより、入力された個人情報等の機密情報を公開鍵を用いて暗号化して情報伝達用コードを生成する機能を有するものである。メモリ５２には、上述した通話機能や通信機能を実現するための所定プログラム等に加えて、上述した情報伝達用コード生成処理を実行するコード生成用アプリケーションプログラムが、予め格納されている。なお、コード生成用アプリケーションプログラムを実行する制御部５１は、特許請求の範囲に記載の「生成手段」の一例に相当し得る。
【００３６】
操作部５３は、複数のキー等により構成されており、制御部５１に対してキー操作に応じた情報を入力する機能を有するものである。表示部５４は、液晶等から構成されており、制御部５１により制御されて、情報伝達用コード等の所定の情報を表示する機能を有するものである。通信部５５は、制御部５１により制御されて、上記ネットワークを介した通信を行う機能を有するものである。なお、図１では、情報伝達用コードＱが表示部５４に表示された状態を例示している。
【００３７】
次に、このように構成される情報伝達システム１０において、情報伝達用コードを用いた機密情報の伝達として、会員登録時における個人情報の伝達の流れについて、図を参照して説明する。図４は、第１実施形態に係る携帯端末５０の情報伝達用コード生成処理の流れを例示するフローチャートである。図５は、表示部５４に表示されるメニュー画面を例示する説明図である。図６は、表示部５４に表示される入力画面を例示する説明図である。
【００３８】
以下、サービス提供者Ａの会員登録を所望する利用者が所持する携帯端末５０にて実施される情報伝達用コード生成処理について、図４に示すフローチャートを用いて説明する。
利用者により操作部５３に対する所定のキー操作がなされて上記コード生成用アプリケーションプログラムが実行されると、情報伝達用コード生成処理が開始される。まず、図４のステップＳ１０１に示すメニュー画面表示処理がなされ、図５に例示するメニュー画面が携帯端末５０の表示部５４に表示される。
【００３９】
そして、このメニュー画面の表示中に、上記利用者により表示部５４に表示される「コード生成」が指示されると（Ｓ１０３でＹｅｓ）、ステップＳ１０５に示す公開鍵取得処理がなされる。この処理では、サービス提供者Ａにより上記ネットワークを介して公開されている公開鍵が、通信部５５を介して取得される。続いて、ステップＳ１０７に示す情報入力画面表示処理がなされ、図６に例示する入力画面が表示部５４に表示される。
【００４０】
この入力画面に対して、利用者が操作部５３を操作することで名前、住所、年齢等の個人情報（機密情報）が入力され、この入力表示状態で「確定」が指示されると（Ｓ１０９でＹｅｓ）、ステップＳ１１１に示すコード生成処理がなされる。この処理では、上述のように入力された個人情報が、公開鍵を用いて暗号化されて非公開領域に記録されるように、情報伝達用コードＱが生成される。このように生成される情報伝達用コードＱは、公開鍵に１対１で対応する秘密鍵、すなわち、当該公開鍵を公開したサービス提供者により管理される秘密鍵のみ解読可能であり、暗号化に用いた公開鍵であっても解読できないように生成される。なお、情報伝達用コードＱの公開領域には、何も記録しなくてもよいし、例えば、秘匿不要なＩＤ番号を記録してもよいし、より安全性を高めるためにダミー情報を記録してもよい。
【００４１】
このように情報伝達用コードＱが生成されると、ステップＳ１１３に示す記憶処理がなされ、生成された情報伝達用コードＱがメモリ５２に記憶されて、再び、メニュー画面が表示される（Ｓ１０１）。
【００４２】
そして、上述のように情報伝達用コードＱがメモリ５２に記憶されることから、メニュー画面の表示中に、上記利用者により表示部５４に表示される「コード表示」が指示されると（Ｓ１１５でＹｅｓ）、ステップＳ１１７に示すコード表示処理がなされる。この処理では、メモリ５２に記憶されている情報伝達用コードＱが読み出されて表示部５４に表示される（図１参照）。なお、この情報伝達用コードＱが表示された画面は、操作部５３に対するコード表示終了操作がなされるまでその表示状態が維持されて（Ｓ１１７でＮｏ）、そのコード表示終了操作に応じて、メニュー画面に切り替えられる（Ｓ１１９でＹｅｓ）。
【００４３】
上述のように事前に情報伝達用コードＱが生成された後に、サービス提供者Ａにより運営される店舗に来店した利用者は、会員登録を行うため、図１に例示するように携帯端末５０の表示部５４に表示された情報伝達用コードＱを提示する。サービス提供者Ａが管理する端末装置１１のコードリーダ２０のメモリ３５には、情報伝達用コードＱの生成時に用いた公開鍵に対応する秘密鍵が記憶されているため、提示された情報伝達用コードＱをコードリーダ２０により読み取ることで、非公開領域に記録されている名前、住所、年齢等の個人情報が取得される。そして、このようにコードリーダ２０を用いて読み取った個人情報が端末本体１２に入力されると、端末本体１２では、入力された個人情報をもとに会員登録に関する処理がなされて、会員登録が完了する。
【００４４】
ここで、第１実施形態において、情報伝達システム１０にて実施される個人情報（機密情報）の伝達に関して、会員登録時における個人情報の伝達の流れについて、図７を参照して説明する。図７は、第１実施形態における機密情報の伝達の流れを説明するための説明図である。
【００４５】
サービス提供者Ａにより公開鍵が上記ネットワークを介して公開されており（図７のＦ１０１）、利用者が携帯端末５０を操作して上記コード生成用アプリケーションプログラムの実行することで、公開鍵が取得される（Ｆ１０３，Ｆ１０５）。そして、操作部５３の操作に応じて、名前、住所、年齢等の個人情報が入力されると（Ｆ１０７）、この個人情報が公開鍵を用いて暗号化されて情報伝達用コードＱが生成される（Ｆ１０９）。そして、来店した利用者が携帯端末５０の表示部５４に表示させた情報伝達用コードＱを提示すると（Ｆ１１１，Ｆ１１３）、この情報伝達用コードＱが秘密鍵を有するコードリーダ２０により読み取られることで（Ｆ１１５）、情報伝達用コードＱの非公開領域に記録されている個人情報が取得され（Ｆ１１７）、この取得した個人情報をもとに端末本体１２にて会員登録に関する処理が実施される（Ｆ１１９）。
【００４６】
以上説明したように、本実施形態に係る情報伝達システム１０では、携帯端末５０にて上記コード生成用アプリケーションプログラムの実行することで、入力された個人情報（機密情報）が、公開された公開鍵を用いてこの公開鍵と異なる秘密鍵によりデコード可能に暗号化されて非公開領域に記録されることで、情報伝達用コードＱ（一部非公開コード）が生成される。そして、携帯端末５０の表示部５４に表示された情報伝達用コードＱを、コードリーダ２０により光学的に読み取り秘密鍵を用いてデコードすることで、個人情報が端末装置１１の端末本体１２により取得される。
【００４７】
このように、携帯端末５０の表示部５４に表示された情報伝達用コードＱをコードリーダ２０に読み取らせるだけで、個人情報が端末本体１２により取得されるので、端末装置１１への個人情報の伝達を容易に実施することができる。特に、公開された公開鍵を用いるため、第三者を介さず情報伝達用コードＱを生成できるだけでなく、情報伝達用コードＱを不正に入手しても公開鍵と異なる秘密鍵をも入手しなければ個人情報を取得できないので、情報伝達用コードＱを利用することによる安全性を高めることができる。
したがって、情報伝達用コードＱを利用することで、個人情報を携帯端末５０を介して安全かつ容易に端末装置１１に伝達することができる。
【００４８】
特に、情報伝達用コードＱは、携帯端末５０により実行されるコード生成用アプリケーションプログラムにより生成されるため、外部装置等を利用することなく携帯端末５０の操作だけで情報伝達用コードＱを生成できるので、情報伝達用コードＱを利用する機密情報の伝達をより安全に実施することができる。
【００４９】
なお、情報伝達用コードＱは、携帯端末５０と別体として構成されて、公開鍵を取得可能であってセキュリティ性が高く保持される一部非公開コードを生成可能なコード生成装置を利用して、このコード生成装置に機密情報を入力することで、生成されてもよい。
【００５０】
［第２実施形態］
次に、本第２実施形態に係る情報伝達システムについて、図８〜図１１を参照して説明する。図８は、第２実施形態に係る情報伝達システム１０ａの構成を概略的に示す説明図である。図９は、第２実施形態に係る携帯端末５０の情報伝達用コード生成処理の流れを例示するフローチャートである。図１０は、表示部５４に表示される選択画面を例示する説明図である。図１１は、第２実施形態における機密情報の伝達の流れを説明するための説明図である。
【００５１】
本第２実施形態では、公開鍵および秘密鍵が第三者である鍵管理業者により管理される点が、上記第１実施形態に係る情報伝達システムと主に異なる。したがって、第１実施形態の情報伝達システムと実質的に同一の構成部分には、同一符号を付し、その説明を省略する。
【００５２】
本実施形態では、複数種類の公開鍵および秘密鍵が第三者である鍵管理業者により管理されており、これら各公開鍵および対応する秘密鍵は、鍵管理業者が管理する管理サーバ６０のデータベース６１にデータベース化されている。そして、管理サーバ６０により、複数種類の公開鍵が、インターネット等のネットワークを介して取得可能に公開されている。
【００５３】
このため、本実施形態では、サービス提供者は、鍵管理業者に対して所定の公開鍵に対応する秘密鍵を取得するための申請を行う。そして、この申請が適正である場合に、対応する秘密鍵が、鍵管理業者からサービス提供者に対して伝達され、サービス提供者が管理するコードリーダ２０のメモリ３５に記憶されることとなる。そうすることで、複数のサービス提供者が、公開鍵および秘密鍵を個別に管理することなく、鍵管理業者から秘密鍵をそれぞれ取得して本情報伝達システムを利用することができる。なお、図８では、サービス提供者Ａが管理する端末装置１１ａと、サービス提供者Ｂが管理する端末装置１１ｂとを図示しているが、これに限らず、さらに多くのサービス提供者が本情報伝達システムを利用することができる。また、鍵管理業者からの秘密鍵の伝達は、例えば、インターネット等を介して実施してもよいし、より安全を期して、磁気記録媒体や紙媒体等の持ち運び可能な媒体を用いて実施してもよい。
【００５４】
次に、本実施形態において、携帯端末５０にて実施される情報伝達用コード生成処理について、図９に示すフローチャートを用いて説明する。
上記第１実施形態と同様に情報伝達用コード生成処理が開始され、表示部５４に表示される「コード生成」が指示されると（Ｓ１０３でＹｅｓ）、ステップＳ１０４に示す選択画面表示処理がなされ、図１０に例示する公開鍵を選択するための選択画面が表示部５４に表示される。
【００５５】
この選択画面に対して、利用者が操作部５３を操作することで、図１０に例示するように、公開鍵Ａが選択され、この選択表示状態で「確定」が指示されると（Ｓ１０４ａでＹｅｓ）、ステップＳ１０５ａに示す公開鍵取得処理がなされる。この処理では、鍵管理業者により上記ネットワークを介して公開されている複数の公開鍵のうち上述のように選択された公開鍵Ａが、通信部５５を介して取得される。そして、ステップＳ１０７に示す情報入力画面表示処理がなされ、表示部５４に表示された入力画面に対して個人情報が入力されると（Ｓ１０９でＹｅｓ）、ステップＳ１１１に示すコード生成処理がなされる。これにより、上述のように入力された個人情報が、公開鍵Ａを用いて暗号化されて非公開領域に記録されるように、情報伝達用コードＱが生成されて、メモリ５２に記憶される（Ｓ１１３）。
【００５６】
その後、サービス提供者Ａの店舗に来店した利用者により、情報伝達用コードＱが携帯端末５０の表示部５４に表示されて提示される。そうすると、この情報伝達用コードＱが、生成時に用いた公開鍵Ａに対応する秘密鍵Ａがメモリ３５に記憶されるコードリーダ２０により読み取られて、非公開領域に記録されている個人情報が取得されることとなる。
【００５７】
また、例えば、秘密鍵Ｂを有するサービス提供者Ｂの店舗に来店した利用者により、公開鍵Ｂを用いて個人情報を暗号化した情報伝達用コードＱが携帯端末５０の表示部５４に表示されて提示されると、この情報伝達用コードＱが、秘密鍵Ｂがメモリ３５に記憶されるコードリーダ２０により読み取られて、非公開領域に記録されている個人情報が取得されることとなる。
【００５８】
ここで、第２実施形態において、情報伝達システム１０にて実施される個人情報（機密情報）の伝達に関して、会員登録時における個人情報の伝達の流れについて、図１１を参照して説明する。
【００５９】
鍵管理業者により複数の公開鍵が上記ネットワークを介して公開されている状態で（図１１のＦ２０１）、サービス提供者Ａが鍵管理業者に対して秘密鍵Ａを取得するための申請を行うことで（Ｆ２０３）、この申請が適正な場合に、秘密鍵Ａが鍵管理業者からサービス提供者Ａに提供（伝達）される（Ｆ２０５）。サービス提供者Ａは、秘密鍵Ａを取得すると（Ｆ２０７）、管理するコードリーダ２０のメモリ３５に記憶する。そして、上述のように秘密鍵Ａを取得したサービス提供者Ａは、公開鍵Ａを用いて個人情報を暗号化した情報伝達用コードＱを提示することで簡単に会員登録が完了する旨を、会員登録を所望する利用者等に対して告知する。
【００６０】
そして、サービス提供者Ａの会員登録を所望する利用者が携帯端末５０を操作して上記コード生成用アプリケーションプログラムの実行することで、公開鍵Ａが取得される（Ｆ２０９）。そして、操作部５３の操作に応じて、名前、住所、年齢等の個人情報が入力されると（Ｆ２１１）、この個人情報が公開鍵を用いて暗号化されて情報伝達用コードＱが生成される（Ｆ２１３）。そして、サービス提供者Ａの店舗に来店した利用者が携帯端末５０の表示部５４に表示させた情報伝達用コードＱを提示すると（Ｆ２１５，Ｆ２１７）、この情報伝達用コードＱが秘密鍵Ａを有するコードリーダ２０により読み取られることで（Ｆ２１９）、情報伝達用コードＱの非公開領域に記録されている個人情報が取得され（Ｆ２２１）、この取得した個人情報をもとに端末本体１２にて会員登録に関する処理が実施される（Ｆ２２３）。
【００６１】
このように、公開鍵および秘密鍵が第三者である鍵管理業者により管理される構成であっても、携帯端末５０の表示部５４に表示された情報伝達用コードＱをコードリーダ２０に読み取らせるだけで、個人情報が端末本体１２により取得されるので、端末装置１１ａ，１１ｂ等への個人情報の伝達を安全かつ容易に実施することができる。
【００６２】
［第３実施形態］
次に、本第３実施形態に係る情報伝達システムについて、図１２〜図１４を参照して説明する。図１２は、第３実施形態に係る情報伝達用コードＱａの構成を説明する説明図である。図１３は、第３実施形態に係る携帯端末５０の情報伝達用コード生成処理の流れを例示するフローチャートである。図１４は、第３実施形態における機密情報の伝達の流れを説明するための説明図である。
【００６３】
本第３実施形態では、上述した情報伝達用コードＱと異なる構成の情報伝達用コードＱａを採用する点が、上記第２実施形態に係る情報伝達システムと主に異なる。したがって、第２実施形態の情報伝達システムと実質的に同一の構成部分には、同一符号を付し、その説明を省略する。
【００６４】
本実施形態では、鍵管理業者によりＮ個の公開鍵（Ａ〜Ｎ）が上記ネットワークを介して公開され、同数の秘密鍵（Ａ〜Ｎ）が対応する公開鍵とともに管理されている。そして、情報伝達用コードＱａを構成する一部非公開コードが、Ｎ個の非公開領域を有し、各非公開領域にはそれぞれに対応する公開鍵を用いて暗号化された各個人情報（機密情報）が記録されるように生成される。
【００６５】
具体的には、例えば、図１２に例示するように、情報伝達用コードＱａが、非公開領域Ａには、「名前」に関する情報が公開鍵Ａを用いて暗号化されて記録され、非公開領域Ｂには、「住所」に関する情報が公開鍵Ｂを用いて暗号化されて記録され、非公開領域Ｃには、「年齢」に関する情報が公開鍵Ｃを用いて暗号化されて記録されるように、生成される。これにより、同じ情報伝達用コードＱａを読み取る場合でも、例えば、秘密鍵Ａのみを有するコードリーダ２０では、「名前」に関する情報が取得され、秘密鍵Ａ，Ｂ，Ｃを有するコードリーダ２０では、「名前」,「住所」,「年齢」に関する情報が取得されることとなる。なお、非公開領域とこの非公開領域に記憶される機密情報の項目とは、鍵管理業者により予め設定されている。
【００６６】
次に、本実施形態において、携帯端末５０にて実施される情報伝達用コード生成処理について、図１３に示すフローチャートを用いて説明する。
上記第２実施形態と同様に情報伝達用コード生成処理が開始され、表示部５４に表示される「コード生成」が指示されると（Ｓ１０３でＹｅｓ）、ステップＳ１０５ｂに示す公開鍵取得処理がなされる。この処理では、鍵管理業者により上記ネットワークを介して公開されている各公開鍵Ａ〜Ｎが、通信部５５を介してそれぞれ取得される。
【００６７】
そして、ステップＳ１０７に示す情報入力画面表示処理がなされ、表示部５４に表示された入力画面に対して個人情報として「名前」,「住所」,「年齢」等のＮ種類の機密情報がそれぞれ入力されると（Ｓ１０９でＹｅｓ）、ステップＳ１１１ａに示すコード生成処理がなされる。この処理では、上述のように入力された個人情報が所定の非公開領域に対応する公開鍵を用いて暗号化されて記録されるように、情報伝達用コードＱａが生成される。そして、上述のように生成された情報伝達用コードＱａは、メモリ５２に記憶される（Ｓ１１３）。
【００６８】
その後、サービス提供者の店舗に来店した利用者により、情報伝達用コードＱａが携帯端末５０の表示部５４に表示されて提示される。このサービス提供者が秘密鍵Ａ，Ｂ，Ｃを申請して取得している場合には、情報伝達用コードＱａが、秘密鍵Ａ，Ｂ，Ｃがメモリ３５に記憶されるコードリーダ２０により読み取られて、非公開領域に記録されている「名前」,「住所」,「年齢」に関する情報が取得されることとなる。
【００６９】
ここで、第３実施形態において、情報伝達システム１０ａにて実施される個人情報（機密情報）の伝達に関して、個人情報の伝達の流れについて、図１２および図１４を参照して説明する。
【００７０】
鍵管理業者により、Ｎ個の非公開領域と当該各非公開領域に記憶される機密情報の項目が設定されて（図１４のＦ３０１）、Ｎ個の公開鍵が上記ネットワークを介して公開されている（Ｆ３０３）。そして、利用者が携帯端末５０を操作して上記コード生成用アプリケーションプログラムの実行することで、Ｎ個の公開鍵が全て取得され（Ｆ３０５）、操作部５３の操作に応じて、名前、住所、年齢等の個人情報が入力されると（Ｆ３０７）、この個人情報が公開鍵を用いて暗号化されて情報伝達用コードが生成される（Ｆ３０９）。なお、上述したようにＮ個の公開鍵が全て取得されており、利用者では、情報伝達用コードＱａを利用してどのサービス提供者に個人情報を伝達するかを意識することはない。
【００７１】
一方、例えば、サービス提供者Ａが鍵管理業者に対して、「名前」,「住所」,「年齢」に関する情報を取得する目的で、秘密鍵Ａ，Ｂ，Ｃを取得するための申請を行うことで（Ｆ３１１）、この申請が適正な場合に、秘密鍵Ａ，Ｂ，Ｃが鍵管理業者からサービス提供者Ａに提供（伝達）される（Ｆ３１３）。サービス提供者Ａは、秘密鍵Ａ，Ｂ，Ｃを取得すると（Ｆ３１５）、管理するコードリーダ２０のメモリ３５に記憶する。その後、サービス提供者Ａの店舗に来店した利用者が携帯端末５０の表示部５４に表示させた情報伝達用コードＱａを提示すると（Ｆ３１７，Ｆ３１９）、この情報伝達用コードＱａが秘密鍵Ａ，Ｂ，Ｃを有するコードリーダ２０により読み取られる（Ｆ３２１）。これにより、図１２に例示するように、情報伝達用コードＱａの各非公開領域に記録されている個人情報のうち、「名前」,「住所」,「年齢」に関する情報が取得され（Ｆ３２３）、この取得した個人情報をもとに端末本体１２にて会員登録に関する処理が実施される（Ｆ３２５）。
【００７２】
また、例えば、サービス提供者Ｂが鍵管理業者に対して、「名前」,「年齢」に関する情報を取得する目的で、秘密鍵Ａ，Ｃを取得するための申請を行うことで（Ｆ３２７）、この申請が適正な場合に、秘密鍵Ａ，Ｃが鍵管理業者からサービス提供者Ｂに提供（伝達）される（Ｆ３１３）。サービス提供者Ｂは、秘密鍵Ａ，Ｃを取得すると（Ｆ３２９）、管理するコードリーダ２０のメモリ３５に記憶する。その後、サービス提供者Ｂの店舗に来店した利用者が携帯端末５０の表示部５４に表示させた情報伝達用コードＱａを提示すると（Ｆ３１７，Ｆ３１９）、この情報伝達用コードＱａが秘密鍵Ａ，Ｃを有するコードリーダ２０により読み取られる（Ｆ３３１）。これにより、図１２に例示するように、情報伝達用コードＱａの各非公開領域に記録されている個人情報のうち、「名前」,「年齢」に関する情報が取得され（Ｆ３３３）、この取得した個人情報をもとに端末本体１２にて会員登録に関する処理が実施される（Ｆ３３５）。
【００７３】
また、例えば、サービス提供者Ｃが鍵管理業者に対して、「名前」に関する情報を取得する目的で、秘密鍵Ａを取得するための申請を行うことで（Ｆ３３７）、この申請が適正な場合に、秘密鍵Ａが鍵管理業者からサービス提供者Ｃに提供（伝達）される（Ｆ３１３）。サービス提供者Ｃは、秘密鍵Ａを取得すると（Ｆ３３９）、管理するコードリーダ２０のメモリ３５に記憶する。その後、サービス提供者Ｃの店舗に来店した利用者が携帯端末５０の表示部５４に表示させた情報伝達用コードＱａを提示すると（Ｆ３１７，Ｆ３１９）、この情報伝達用コードＱａが秘密鍵Ａを有するコードリーダ２０により読み取られる（Ｆ３４１）。これにより、図１２に例示するように、情報伝達用コードＱａの各非公開領域に記録されている個人情報のうち、「名前」に関する情報が取得され（Ｆ３４３）、この取得した個人情報をもとに端末本体１２にて会員登録に関する処理が実施される（Ｆ３４５）。
【００７４】
以上説明したように、本実施形態に係る情報伝達システム１０ａでは、公開鍵および秘密鍵は、複数の非公開領域に対応するようにそれぞれ同数設けられている。そして、携帯端末５０にて上記コード生成用アプリケーションプログラムの実行することで、入力された複数項目の個人情報（機密情報）を、複数の非公開領域のそれぞれに対して対応する公開鍵を用いて暗号化して記録するように、情報伝達用コードＱａが生成される。
【００７５】
これにより、１つの情報伝達用コードＱａに複数項目の個人情報（名前，住所，年齢等）が記録されるため、２以上の端末装置１１がそれぞれ異なる秘密鍵を有する場合に、各端末装置１１のコードリーダ２０にて同一の情報伝達用コードＱａを読み取らせても取得される個人情報の項目を変えることができる。すなわち、各端末装置１１に伝達させる情報を所有する秘密鍵の種類に応じて変えることができるので、安全性を低下させることなく利便性を向上させることができる。
【００７６】
また、秘密鍵の取得には鍵管理業者への申請が必要であり、その結果、端末装置１１は、複数の秘密鍵のうち、複数項目の個人情報のうちの一部を取得するために必要な鍵に限定して有するため、複数項目の個人情報が記録される情報伝達用コードＱａを読み取る場合でも、当該端末装置１１が取得可能な個人情報の項目を、所有する秘密鍵に応じて制限することができる。
【００７７】
特に、複数の非公開領域は、それぞれ記録される個人情報の項目が予め設定されており、携帯端末５０の操作部５３に対するキー操作により、個人情報の複数項目のうち所望の項目に対する情報が入力される。
【００７８】
このため、携帯端末５０の所持者（利用者）は、上記各項目のうち伝達を望まない項目には対応する機密情報を入力しないことにより、情報伝達用コードＱａを利用して伝達する個人情報の項目を、利用者の意図に応じて制限することができる。例えば、図６に例示する入力画面に対して「年齢」の項目を空欄で「確定」を指示して情報伝達用コードを生成することで、この情報伝達用コードを読み取ったコードリーダ２０が「年齢」の項目に対応する秘密鍵を有する場合でも、利用者の意図に応じて、「年齢」に関する情報の取得を制限することができる。
【００７９】
［第４実施形態］
次に、本第４実施形態に係る情報伝達システムについて、図１５および図１６を参照して説明する。図１５は、第４実施形態に係る情報伝達システム１０ｂの構成を概略的に示す説明図である。図１６は、第４実施形態における機密情報の伝達の流れを説明するための説明図である。
【００８０】
本第４実施形態では、個人情報として暗証番号（パスワード）などの認証用情報を伝達する点が、上記第１実施形態に係る情報伝達システムと主に異なる。したがって、第１実施形態の情報伝達システムと実質的に同一の構成部分には、同一符号を付し、その説明を省略する。
【００８１】
本実施形態係る情報伝達システム１０ｂでは、サービス提供者により管理される端末装置１１は、各店舗に設置される端末本体１２およびコードリーダ２０に加えて、顧客情報等を統括的に管理するサーバ１３が設けられている。このサーバ１３は、顧客管理用のデータベース１４を備えており、このデータベース１４には、顧客情報として、顧客を特定するための顧客ＩＤと当該顧客の認証用情報である暗証番号とがデータベース化されて登録されている。ここで、認証用情報を必要とするサービス提供者としては、例えば、銀行やレンタル業者などが想定される。また、顧客ＩＤおよび暗証番号は、利用者の事前の登録申請により発行された情報である。
【００８２】
そして、サーバ１３は、サービス提供者固有の公開鍵およびこの公開鍵に１対１で対応する秘密鍵を管理し、利用者がインターネット等のネットワークを介して取得可能に、公開鍵の公開状態を管理している。なお、サーバ１３およびデータベース１４を備える構成は、他の実施形態に適用されてもよい。また、データベース１４は、特許請求の範囲に記載の「記憶手段」の一例に相当し得る。
【００８３】
そして、本実施形態では、上記情報伝達用コード生成処理において、ステップＳ１０７に示す情報入力画面表示処理にて、サービス提供者にて登録されている顧客ＩＤおよび暗証番号を入力することで、サーバ１３により公開された公開鍵を用いて情報伝達用コードＱが生成される。なお、情報伝達用コードＱは、非公開領域に暗証番号が公開鍵を用いて暗号化されて記録されるとともに、公開領域に顧客ＩＤが暗号化されることなく記録されるように、生成されてもよい。
【００８４】
また、本実施形態では、各端末本体１２は、データベース１４の情報を利用可能にサーバ１３にそれぞれ社内ネットワーク等を介して接続されている。そして、各端末本体１２は、コードリーダ２０により上述のように生成された情報伝達用コードＱを読み取ることで取得した暗証番号と、データベース１４に記憶される暗証番号とに基づいて認証を行う認証手段として機能する。なお、データベース１４に記憶される暗証番号は、特許請求の範囲に記載の「登録認証用情報」の一例に相当し得る。
【００８５】
以下、第４実施形態において、情報伝達システム１０ｂにて実施される個人情報（機密情報）の伝達に関して、機密情報の伝達の流れについて、図１６を参照して説明する。
まず、利用者の事前の登録申請により（図１６のＦ４０１）、サービス提供者は、個人情報および暗証番号等を取得し（Ｆ４０３）、この取得情報に応じてデータベース１４が更新される（Ｆ４０５）。この個人情報等の取得時に、利用者に対して顧客ＩＤに関する情報が伝達される。
【００８６】
また、サービス提供者により公開鍵が取得可能に上記ネットワークを介して公開されており（Ｆ４０７，Ｆ４０９）、利用者が携帯端末５０を操作して上記コード生成用アプリケーションプログラムの実行することで、公開鍵が取得される（Ｆ４１１）。そして、操作部５３の操作に応じて、顧客ＩＤおよび暗証番号が入力されると（Ｆ４１３）、この顧客ＩＤおよび暗証番号が公開鍵を用いて暗号化されて情報伝達用コードＱが生成される（Ｆ４１５）。
【００８７】
そして、来店した利用者が携帯端末５０の表示部５４に表示させた情報伝達用コードＱを提示すると（Ｆ４１７，Ｆ４１９）、この情報伝達用コードＱが秘密鍵を有するコードリーダ２０により読み取られることで（Ｆ４２１）、情報伝達用コードＱの非公開領域に記録されている顧客ＩＤおよび暗証番号が取得される（Ｆ４２３）。そして、この取得した顧客ＩＤおよび暗証番号と、サーバ１３から取得した顧客ＩＤおよび暗証番号とに基づいて、端末本体１２により認証に関する処理が実施される（Ｆ４２５）。
【００８８】
このように端末本体１２による認証が完了すると、利用者は、サービス提供者によるサービスを受けることができる。そして、その後は、上述のように作成された情報伝達用コードＱを提示するだけで、安全かつ容易に認証が完了し、利用者は安心してサービスを受けることができる。
【００８９】
以上説明したように、本実施形態に係る情報伝達システム１０ｂでは、伝達する機密情報は、認証時に使用する暗証番号（認証用情報）であって、端末装置１１の端末本体１２では、秘密鍵を用いてデコードすることで取得した暗証番号と、データベース１４に予め記憶された暗証番号とに基づいて、端末本体１２により認証が実施される。
【００９０】
これにより、暗証番号のような認証が必要な機密情報であっても、情報伝達用コードＱを利用することで、携帯端末５０を介して安全かつ容易に端末装置１１に伝達することができ、かつ、伝達された情報を用いた認証を実施することができる。
【００９１】
特に、情報伝達用コードＱを提示するだけなので、暗証番号の入力が盗み見されることが防止されるだけでなく、暗証番号を覚える必要もないため、利用者に対して、複雑な暗証番号の設定を促すことができる。
【００９２】
［第５実施形態］
次に、本第５実施形態に係る情報伝達システムについて、図１７〜図１９を参照して説明する。図１７は、第５実施形態に係る情報伝達システム１０ｃの構成を概略的に示す説明図である。図１８は、第５実施形態に係る情報伝達用コードＱｂの構成を説明する説明図である。図１９は、第５実施形態における機密情報の伝達の流れを説明するための説明図である。
【００９３】
本第５実施形態では、複数のサービス提供者から公開される公開鍵を用いて情報伝達用コードを生成する点が、上記第４実施形態に係る情報伝達システムと主に異なる。したがって、第１実施形態の情報伝達システムと実質的に同一の構成部分には、同一符号を付し、その説明を省略する。
【００９４】
本実施形態係る情報伝達システム１０ｃでは、複数のサービス提供者により、それぞれ固有の公開鍵が公開されている。図１７では、サービス提供者Ａが管理する端末装置１１ａのサーバ１３により公開鍵Ａが公開され、サービス提供者Ｂが管理する端末装置１１ｂのサーバ１３により公開鍵Ｂが公開され、サービス提供者Ｃが管理する端末装置１１ｃのサーバ１３により公開鍵Ｃが公開されている。そして、サービス提供者Ａは、公開鍵Ａに対応する秘密鍵Ａをサーバ１３にて管理しており、サービス提供者Ｂは、公開鍵Ｂに対応する秘密鍵Ｂをサーバ１３にて管理しており、サービス提供者Ｃは、公開鍵Ｃに対応する秘密鍵Ｃをサーバ１３にて管理している。
【００９５】
また、本実施形態では、上記情報伝達用コード生成処理において、ステップＳ１０５に示す公開鍵取得処理にて、上記ネットワークを介して公開されている各公開鍵（Ａ〜Ｃ）が取得される。そして、ステップＳ１０７に示す情報入力画面表示処理では、各サービス提供者ごとに顧客ＩＤおよび暗証番号を入力する入力画面（図示略）が表示され、この入力が完了すると、ステップＳ１１１に示すコード生成処理にて、情報伝達用コードＱｂを構成する一部非公開コードが、Ｎ個の非公開領域を有し、各非公開領域にはそれぞれに対応する公開鍵を用いて暗号化された各サービス提供者ごとの顧客ＩＤおよび暗証番号が記録されるように生成される。
【００９６】
具体的には、例えば、図１８に例示するように、情報伝達用コードＱｂが、非公開領域Ａには、サービス提供者Ａに登録された顧客ＩＤおよび暗証番号に関する情報（以下、機密情報Ａという）が公開鍵Ａを用いて暗号化されて記録され、非公開領域Ｂには、サービス提供者Ｂに登録された顧客ＩＤおよび暗証番号に関する情報（以下、機密情報Ｂという）が公開鍵Ｂを用いて暗号化されて記録され、非公開領域Ｃには、サービス提供者Ｃに登録された顧客ＩＤおよび暗証番号に関する情報（以下、機密情報Ｃという）が公開鍵Ｃを用いて暗号化されて記録されるように、生成される。これにより、同じ情報伝達用コードＱｂを読み取る場合でも、サービス提供者Ａが管理する端末装置１１ａのコードリーダ２０の読み取りでは機密情報Ａが取得され、サービス提供者Ｂが管理する端末装置１１ｂのコードリーダ２０の読み取りでは、機密情報Ｂが取得され、サービス提供者Ｃが管理する端末装置１１ｃのコードリーダ２０の読み取りでは、機密情報Ｃが取得されることとなる。なお、本実施形態では、利用したいサービス提供者を選択して、選択されたサービス提供者が公開している公開鍵を取得し、その取得数だけ非公開領域が設けられるように、情報伝達用コードＱｂを生成してもよい。
【００９７】
以下、第５実施形態において、情報伝達システム１０ｃにて実施される個人情報（機密情報）の伝達に関して、個人情報の伝達の流れについて、図１８および図１９を参照して説明する。
まず、利用者の事前の登録申請により（図１９のＦ５０１）、各サービス提供者は、個人情報および暗証番号等を取得し（Ｆ５０３）、この取得情報に応じてデータベース１４がそれぞれ更新される（Ｆ５０５ａ〜Ｆ５０５ｃ）。この個人情報等の取得時に、利用者に対して顧客ＩＤに関する情報が、各サービス提供者からそれぞれ伝達される。
【００９８】
また、各サービス提供者により公開鍵が取得可能に上記ネットワークを介してそれぞれ公開されており（Ｆ５０７ａ〜Ｆ５０７ｃ）、利用者が携帯端末５０を操作して上記コード生成用アプリケーションプログラムの実行することで、各公開鍵が取得される（Ｆ５０９）。そして、操作部５３の操作に応じて、各サービス提供者ごとの顧客ＩＤおよび暗証番号がそれぞれ入力されると（Ｆ５１１）、これら顧客ＩＤおよび暗証番号が対応する公開鍵を用いてそれぞれ暗号化されて情報伝達用コードＱｂが生成される（Ｆ５１３）。
【００９９】
その後、サービス提供者Ａの店舗に来店した利用者が携帯端末５０の表示部５４に表示させた情報伝達用コードＱｂを提示すると（Ｆ５１５，Ｆ５１７）、この情報伝達用コードＱｂが秘密鍵Ａを有するコードリーダ２０により読み取られる（Ｆ５１９）。これにより、図１８に例示するように、情報伝達用コードＱｂの各非公開領域に記録されている情報のうち機密情報Ａが取得される（Ｆ５２１）。そして、機密情報Ａから得られる顧客ＩＤおよび暗証番号と、サーバ１３から取得した顧客ＩＤおよび暗証番号とに基づいて、端末本体１２により認証に関する処理が実施される（Ｆ５２３）。このように端末本体１２による認証が完了すると、利用者は、サービス提供者によるサービスを受けることができる（Ｆ５２５，Ｆ５２７，Ｆ５２９）。
【０１００】
また、サービス提供者Ｂの店舗に来店した利用者が携帯端末５０の表示部５４に表示させた情報伝達用コードＱｂを提示すると（Ｆ５１５，Ｆ５１７）、この情報伝達用コードＱｂが秘密鍵Ｂを有するコードリーダ２０により読み取られる（Ｆ５３１）。これにより、図１８に例示するように、情報伝達用コードＱｂの各非公開領域に記録されている情報のうち機密情報Ｂが取得される（Ｆ５３３）。そして、機密情報Ｂから得られる顧客ＩＤおよび暗証番号と、サーバ１３から取得した顧客ＩＤおよび暗証番号とに基づいて、端末本体１２により認証に関する処理が実施される（Ｆ５３５）。このように端末本体１２による認証が完了すると、利用者は、サービス提供者によるサービスを受けることができる（Ｆ５３７，Ｆ５３９，Ｆ５２９）。
【０１０１】
また、サービス提供者Ｃの店舗に来店した利用者が携帯端末５０の表示部５４に表示させた情報伝達用コードＱｂを提示すると（Ｆ５１５，Ｆ５１７）、この情報伝達用コードＱｂが秘密鍵Ｃを有するコードリーダ２０により読み取られる（Ｆ５４１）。これにより、図１８に例示するように、情報伝達用コードＱｂの各非公開領域に記録されている情報のうち機密情報Ｃが取得される（Ｆ５４３）。そして、機密情報Ｃから得られる顧客ＩＤおよび暗証番号と、サーバ１３から取得した顧客ＩＤおよび暗証番号とに基づいて、端末本体１２により認証に関する処理が実施される（Ｆ５４５）。このように端末本体１２による認証が完了すると、利用者は、サービス提供者によるサービスを受けることができる（Ｆ５４７，Ｆ５４９，Ｆ５２９）。
【０１０２】
以上説明したように、本実施形態に係る情報伝達システム１０ｃでは、携帯端末５０にて上記コード生成用アプリケーションプログラムの実行することで、入力された各サービス提供者ごとの暗証番号等を、複数の非公開領域のそれぞれに対して対応する公開鍵を用いて暗号化して記録するように、１つの情報伝達用コードＱｂが生成される。
【０１０３】
これにより、１つの情報伝達用コードＱｂに複数のサービス提供者にて認証するための認証用情報が記録されるため、同じ情報伝達用コードＱｂを提示するだけで、複数のサービス提供者にて認証処理がなされて、そのサービスをそれぞれ受けることができる。
【０１０４】
なお、本発明は上記各実施形態に限定されるものではなく、以下のように具体化してもよい。
（１）上記第１〜第３実施形態において、上述したサービス提供者は、認証用情報を必要とする銀行やレンタル業者などであってもよいし、認証用情報が不要なサービス提供者であってもよい。さらにいえば、本発明は、サービスを提供するサービス提供者が管理する端末装置１１に機密情報を伝達するシステムに適用されることに限らず、サービスを提供しない被伝達者、例えば、役所などが管理する端末装置に機密情報を伝達するシステムに適用されてもよい。
【０１０５】
また、サービス提供者を含めた被伝達者は、本情報伝達システムにより得られる情報を、「客の年齢層」や「どの地区からの客か？」などの情報を収集する市場調査等に用いることができる。
【０１０６】
（２）上記各実施形態にて生成される情報伝達用コードは、その発行元が信用できる機関であれば、免許証等の身分証代わりとしても用いることができる。
【０１０７】
（３）情報伝達用コードとして採用される一部非公開コードは、一部暗号化することでセキュリティ性が高められたＱＲコードにより構成されることに限らず、他のコード種別において暗号化することでセキュリティ性が高められた情報コードにより構成されてもよい。
【符号の説明】
【０１０８】
１０，１０ａ，１０ｂ，１０ｃ…情報伝達システム
１１，１１ａ〜１１ｃ…端末装置（取得装置）
１２…端末本体（認証手段）
１３…サーバ
１４…データベース（記憶手段）
２０…コードリーダ（読取手段）
５０…携帯端末
５１…制御部（生成手段）
５３…操作部（入力手段）
５４…表示部
６０…管理サーバ
Ｑ，Ｑａ，Ｑｂ…情報伝達用コード（一部非公開コード）
【図１】
2013175005.tif 000003
【図２】
2013175005.tif 000004
【図３】
2013175005.tif 000005
【図４】
2013175005.tif 000006
【図５】
2013175005.tif 000007
【図６】
2013175005.tif 000008
【図７】
2013175005.tif 000009
【図８】
2013175005.tif 000010
【図９】
2013175005.tif 000011
【図１０】
2013175005.tif 000012
【図１１】
2013175005.tif 000013
【図１２】
2013175005.tif 000014
【図１３】
2013175005.tif 000015
【図１４】
2013175005.tif 000016
【図１５】
2013175005.tif 000017
【図１６】
2013175005.tif 000018
【図１７】
2013175005.tif 000019
【図１８】
2013175005.tif 000020
【図１９】
2013175005.tif 000021